(57)【要約】      （修正有）【課題】  屋外に据え付けることが可能で、住宅内の電力、通信、ＣＡＴＶ等の保安用接地を統合して一点で接続して、各種接地が共通化され等電化させて、落雷による機器障害や人身並びに家屋保護する。【解決手段】  建物Ｅの敷地内に一か所の接地を設け、電力線ａには避雷器用過電流遮断器５、避雷器７を取付け、避雷器７の接地と、電話線ｂの通信用保安器９並びにＣＡＴＶなどの情報線ｃの保安器１０の接地並びに建物Ｅの接地等を統合接地箱Ｆによって建物Ｅ内の接地を統合して共通化し、電位差の発生を抑えて等電位化する.統合接地箱Ｆに避雷器用過電流遮断器５と、低圧配電系雷防護素子を含む避雷器７とを備えた電力用機器Ａと、通信用保安器９、ＣＡＴＶ用保安器１０などの通信用機器Ｂとを離隔配備し、接地を統合した一点で接続するアース端子台１５とを収納し、前記避雷器７と各保安器並びに各機器類と接続して、各機器類を敷地内に接地した。【選択図】        図２
2005117767.tif 000002
【特許請求の範囲】
【請求項１】
住宅内の情報通信機器や家電機器類を雷等の過電圧から防護するために設置する防雷システムにおいて、家屋に引き込まれる電力線に設けられる積算電力量計器と家屋内の過電流遮断器との間に、電力用機器類の電源系雷防護素子と、家屋内に設置される通信機器類または電子機器類、家電機器類などの通信系雷防護素子とに離間して設置される低圧配電系雷防護素子を介して、電力用機器類の接地と、家屋内に設置される通信機器類または電子機器類、家電機器類の保安器の接地と、家屋の接地とを統合して家屋敷地内に接地することを特徴とする住宅用雷防護方法。
【請求項２】
請求項１記載の住宅用雷防護方法において、前記電力用機器として、避雷器用過電流遮断器と、電源系雷防護素子を含む避雷器とが付設され、積算電力量計器と避雷器用過電流遮断器との間に電力線を接続または分岐接続するための分岐用端子台を設けると共に、電力線用接地と通信線用接地が共通化された場合の接地関係を望ましい配置で行えるアース端子台を設けた統合接地箱によって家屋敷地内に接地することを特徴とする住宅用雷防護方法。
【請求項３】
請求項１または請求項２記載の住宅用雷防護方法において、低圧配電系雷防護素子を含む避雷器と分岐用端子台との間に避雷器用過電流遮断器を備えた統合接地箱によって家屋敷地内に接地することを特徴とする住宅用雷防護方法。
【請求項４】
請求項２または請求項３記載の住宅用雷防護方法において、積算電力量計器に接続される避雷器用過電流遮断器と、避雷器と配電用の電力線を接続または分岐接続するための端子のある分岐用端子台とを備えた電力用機器と、通信用保安器、ＣＡＴＶ用保安器として、通信線、ＣＡＴＶ線、光ファイバーなどの情報線を接続するための端子を備え、通信用機器、家電機器、給湯装置、動力装置などの家屋内機器との接地線を接続するためのアース端子台を収納する統合接地箱を用いて、前記電力用機器および通信用機器の接地線を統合した一点で接続することで等電位化することを特徴とする住宅用雷防護方法。
【請求項５】
請求項４記載の住宅用雷防護方法において、前記低圧配電系雷防護素子の接地線接続部分と、他の接地線を統合するためのアース端子台を設けた統合接地箱によって家屋敷地内に接地することを特徴とする住宅用雷防護方法。
【請求項６】
請求項４または請求項５記載の住宅用雷防護方法において、前記統合接地箱が、家屋と設置または分離して家屋敷地内に立設した支柱に固定配備され家屋敷地内に接地することを特徴とする住宅用雷防護方法。
【請求項７】
請求項４、請求項５または請求項６記載の住宅用雷防護方法において、雷防護素子用の避雷器用過電流遮断器に、該避雷器用過電流遮断器の作動時を表示する表示部を備えて外部に報知することを特徴とする住宅用雷防護方法。
【請求項８】
請求項５、請求項６または請求項７記載の住宅用雷防護方法において、前記統合接地箱が、積算電力量計器に接続される避雷器用過電流遮断器並びに避雷器と配電用の電力線を接続または分岐接続するための端子のある分岐用端子台を備えた電力用機器と、通信用保安器、ＣＡＴＶ用保安器と、通信線、ＣＡＴＶ線、光ファイバーなどの情報線を接続するための端子のあるアース端子台を備えた通信用機器とを筐体内を区画仕切って分離する仕切板に隔離取付けた統合接地箱を用いて、前記電力用機器および通信用機器の接地線を統合した一点で接続して家屋敷地内に接地することを特徴とする住宅用雷防護方法。
【発明の詳細な説明】
【技術分野】
【０００１】
本発明は、屋外に据えつけることが可能で、一般家庭、オフィス、集合住宅、工場、分散型建物など住宅内の電力、通信、ＣＡＴＶ等の保安用接地例えば、情報通信機器、各種家電製品などの各種機器類の保安器の接地およびＣ種接地、Ｄ種接地が統合した一点で接続されて共通化され、落雷による機器障害や人身並びに家屋保護のため進入する雷サージを建物の入口で未然に防御する住宅用雷防護方法に関するものである。
【背景技術】
【０００２】
従来、住宅内に備え付けられる情報通信機器や家電製品、給湯設備などは個別に雷防護素子を内蔵または据え付けられていることが多く、雷が侵入した場合はこの雷防護素子が作動し個別の機器類を防護するが、雷防護素子の能力やプリント基板パターン線の電流容量不足など電流耐量が不足であったりすると、雷サージ等の大電流が流れた時に流入する過電流・過電圧に対し、機器類に内蔵したＩＣなどが破壊または誤作動することがある。このように落雷によって発生する強い雷サージが近くの電力線や通信線に影響を与えることは知られており、電力線と通信線の両方に接続された電子機器類が雷サージによって故障や破損その他誤作動の原因になるので、多様化する情報線、例えば電話、ＣＡＴＶに加え光ファイバーなどの情報線が引き込め、信号配線用と電力配線用との接地線は、別々の地点でアレスターへの接続ができるようにし、付随した雷防護素子によって落雷時に各種機器類に悪影響を及ぼすことがないようすることが配慮されている。
ところが一般住宅には、配電用の避雷素子を含む保安器が未設置で、共通設置を行なうには保安器の設置が前提となり、接続用端子や設置場所の配置が接地バーとの関係で配慮しなくてはならない。特に、電力用機器と、通信用保安器、ＣＡＴＶ用保安器などの通信用機器とを一括して筐体内に収納するキャビネットが市販されるにいたって、制御盤ボックスや電磁シールドボックス、コントロールボックスなどのいろいろな形態のボックスが提案されている。
【０００３】
特許文献１の防雷用配電盤は、一つの筐体内に入力線が接続されて接地される防雷用のアレスターを内装した防雷用配電盤において、電源線などの強電配線に接続される強電用アレスターと、通信線などの信号配線に接続される信号用アレスターとの種類の異なるアレスターを筐体内に内装されていることが記載されている。（特許文献１参照）
【特許文献１】特開平１０−１１７４０９号公報
【発明の開示】
【発明が解決しようとする課題】
【０００４】
この種類の異なるアレスターを筐体内に内装されている防雷用配電盤は、強電配線用と信号配線用とが同一地点でアレスターへの接続ができるようにして、作業性の向上を図り電磁誘導などによって間接的に生じた雷電流からの影響を無くすことができるようにはなったが、殆どの一般住宅には、配電用の保安器、主に避雷素子が未設置であって、共通接地を行なうには保安器の設置が前提となり、電源線の避雷器の接地、電話線の保安器の接地、建物の接地などのそれぞれの間で電位差の発生を抑えることができないので雷に対して安全とはいえず、また、家庭内または家屋内にある装置や機器類への雷電流の侵入により装置類の破壊や誤作動があるし、家屋にある装置に付随した雷防護素子との保護協調も行いにくい欠点があり、さらに強電配線用と信号配線用とが筐体内で並設されているため、信号配線用の配線や各種機器類の設備の点検や設備良否の検査、点検などの保守や作業が必要になったときに、本来電力配線系の積算電力量計器等はやたらに作業員や住人に手を付けてもらいたくない機器類まで現地で点検や作業できる状態になっていて設備の維持管理上に不安があって問題があった。
また、この防雷用配電盤は、電力線を接続または分岐接続可能とするための電力線用端子を含む電力機器類が混在しているため通信機器類の配線作業や点検作業の際に、作業上誤った作業や不用意な作業で感電の虞れがあって安全性に欠ける欠点があり、家屋の屋内外設置の装置の接地線の接続が容易に行えない事が多く、作業上にも取り扱い不便であるばかりか、家屋にある装置に付随した雷防護素子が故障（短絡破壊）した際に生じる大電流の発生により火災発生の危険があって機器類の安全性、管理維持にも支障来す虞れがあった。
【０００５】
本発明は、これら従来の欠点や不便さを排除しようとするもので、電力用機器、通信用機器、家電機器の各機器類の接地を統合して共通化し、それぞれの間で電位差の発生を抑えて雷に対して安全に維持管理できるようにして、かつ雷防護システムと家屋内雷防護素子との保護協調を形成し、家屋内に雷電流がほとんど流入しないようにすることによって、装置類の破壊や誤作動をなくし、火災発生の恐れもなく安全性の高い住宅用雷防護方法を提供でき、しかも家屋及び家屋内に備え付けられているあらゆる機器の接地線を統合結合した統合接地箱を用いることによって容易に雷防護が可能で、その設置も簡便に行うことができるし、点検補修の際に配線作業や点検作業での簡素化を図り、さらに、電力用機器、通信用機器の明確な分離ができているので、誤配線や誤操作などの誤作業を起こす心配もなく取り扱いも簡単で、安全に行うことができ取り扱い時間の短縮化と簡易化を図る住宅の接地システムとすることにある。
さらに本発明では、配線のインダクタンス効果を積極的に利用して家屋内に雷電流が殆ど流入しないようにして雷防護を確実にし、また火災発生の危険をもなくして保安に寄与し、作業上でも電力用機器類と情報通信用機器類との設定時に作業者が別であることを考慮して、電力用機器類と情報通信用機器類とを分離して設置してあるため、作業や保守が必要になっても、誤作業が生じることがなく収納機器類の点検、保守が容易に行え、情報通信用機器類を取り扱う場合、作業員や住人は電力機器類を触る必要がなく感電の危険も少なく、作業性を向上させ作業の安全性をも保ち、しかも施工作業や住宅の維持管理が容易であり、保守点検作業も簡便に行うことができる低コストの雷防護システムを提供することを目的としている。
【課題を解決するための手段】
【０００６】
本発明は、家電機器類を雷等の過電圧から防護するために設置する防雷システムにおいて、家屋に引き込まれる電力線に設けられる積算電力量計器と家屋内の過電流遮断器との間に、電力用機器類の電源系雷防護素子と、家屋内に設置される通信機器類または電子機器類、家電機器類などの通信系雷防護素子とに離間して設置される低圧配電系雷防護素子を含む避雷器を介して、電力用機器類の接地と、家屋内に設置される通信機器類または電子機器類、家電機器類の保安器の接地と、家屋の接地とを統合して家屋敷地内に接地することにより、各機器類の接地を統合してそれぞれの間で電位差の発生を抑えることができ等電位化し易くて住宅内は雷に対して安全に維持管理できるようにした。
【０００７】
この場合、前記電力用機器としては、電源用避雷器のほかに避雷器用過電流遮断器、分岐用端子台が付設され、この電力線用接地と通信線用接地が共通化された場合の接地関係を望ましい配置で行えるアース端子台により接地箇所が選ばれて用いられる統合接地箱によって家屋敷地内に接地するのがシステムとして好ましい。例えば、積算電力量計器の下流側（家電機器側）と家屋内の過電流遮断器との間に端末機器の電力系または、通信系の雷防護機能と十分に離間（１０〜１５ｍ以上）して設置された低圧配電系雷防護素子を含む避雷器を介して、家屋及び家屋内に備え付けられているあらゆる機器の接地線を結合して接地するのがよい。
【０００８】
そして、この住宅用防雷システムにおいて、前記電力用機器としては、避雷器用過電流遮断器と避雷器および分岐用端子台とが付設され、積算電力量計器と家屋内の過電流遮断器との間に、電源用避雷器と通信用保安器並びにこれらの接地接続部の関係を望ましい配置で行えるアース端子台を設けた統合接地によって家屋敷地内に接地する。
【０００９】
また、前記低圧配電系雷防護素子（低圧避雷器）と、分岐用端子台との間に、雷防護素子用過電流遮断器として避雷器用過電流遮断器を備えると共に、家屋内機器との接地線を統合して接続するためのアース端子台とを収納した統合接地箱によって家屋敷地内に接地することができる。
【００１０】
なお、家屋に引き込まれる電力線に接続される電力用機器としては、電源用避雷器のほかに避雷器用過電流遮断器、分岐用端子台が付設され、この電力線用接地と通信線用接地が共通化された場合の接地関係を望ましい配置で行えるアース端子台により接地箇所が選ばれて用いられる統合接地箱によって家屋敷地内に接地するのが防雷システムとして好ましい。
【００１１】
また、この防雷システムでは、前記アース端子台に接続される接地極を家屋敷地土壌内に設置するのがよく前記積算電力量計器に接続される避雷器用過電流遮断器と、避雷器と、配電用の電力線を接続または分岐接続するための端子のある分岐用端子台とを備えた電力用機器と、通信用機器の保安器、家電機器、給湯装置、動力装置などの家屋内機器との接地線を接続するための接地線固定部に接続されるアース端子台とを収納する筐体を用いて、前記電力用機器および通信用機器の接地線を統合した一点で接続し、該アース端子台に接続される接地極を家屋敷地土壌内に設置することで等電位化するシステムとするのがよい。即ち、前記低圧配電系雷防護素子の接地線接続部分と、他の接地線を統合するためのアース端子台を接地接続導体を介して設けた統合接地箱によって家屋敷地内に接地するがよい。
【００１２】
なお、前記統合接地箱が、家屋と設置または分離して家屋敷地内又は外に立設した支柱に固定配備され設置することでもよく、また、雷防護素子用過電流遮断器に、該過電流遮断器の作動時を表示する表示部を備えて外部に報知することもできる。
さらに、前記統合接地箱としては、積算電力量計器に接続される過電流遮断器並びに避雷器、配電用の電力線を接続または分岐接続するための端子のある分岐用端子台とを備えた電力用機器と、通信用保安器、ＣＡＴＶ用保安器などの通信用機器とを筐体内を区画仕切って分離する仕切板に隔離取付けた統合接地箱を用いるのも有効である。
【００１３】
さらに、前記接地線接続導体としては、銅または銅系合金、アルミニウム、鉄を素材として、最低２０ｋＡ以上のサージ電流を流すことがてきるものを用いるのがよく、また前記電源用避雷器が、動作したときに報知しうる表示部を備えていること。さらに、電力用機器と通信用機器との相互間で接触や絶縁破壊をすることを防ぎ、設置時での電力用と通信用との作業者が別であることと、また保守時での取扱い者の住人が片側を触る必要がなく感電の危険も減少でき安全性を大幅に高め、点検保守も簡便に行うことができるようにするのが好ましい。
そして、前記統合接地箱としても、積算電力量計器に接続される過電流遮断器並びに電源用避雷器と、配電用の電力線を接続または分岐接続するための端子のある分岐用端子台とを備えた電力用機器と、通信用保安器、ＣＡＴＶ用保安器、接地接続導体とアース端子台を備えた通信用機器とを筐体内を区画仕切って分離する仕切板に隔離取付けた統合接地箱を用いて、前記アース端子台に電力用機器および通信用機器の接地線を統合した一点で接続するのが、点検補修時にカバーを取り外したのち十分な作業スペースが確保でき、電力用機器、通信用機器の明確な分離ができているので、誤配線や誤操作などの誤作業を起こす心配もなく取り扱いも簡単で、作業性も良好にし安全に行うことができ取り扱い時間の短縮化と簡易化を図れて望ましいシステム形態となる。
【００１４】
なお、前記電力用機器と、通信用機器と、接地線を接続するための接地線固定部とを収納する筐体は、前記電力用機器と、通信用機器とを備えるベース本体と、電力用機器と、通信用機器とを覆いベース本体に取り外し自在或いは開閉自在に被せられるカバー体とから構成し、該ベース本体に筐体内を仕切って分離する仕切板を設け、該仕切板に電力用機器と、通信用機器とを隔離取付けて筐体内に収納すると共に、前記電力線の分岐用端子台に接続される避雷器用過電流遮断器に接続され、さらに通信線、ＣＡＴＶ線などの保安器の接地線を接続して、前記電力用機器および通信用機器の接地線を統合した一点で接続するアース端子台を用いることにより、設置場所に自由度があって、コンパクトで体裁良好となり、床面上或いは屋外の特設場所での設置も簡便に行うことができ、しかも点検時の作業が簡単にでき取り扱いの簡易化を図ることができる。
【００１５】
さらに本発明の実施形態では、電力線によって前記積算電力量計器に接続される電源用避雷器、避雷器用過電流遮断器と、電力線を接続または分岐接続する分岐用端子台とに配線を済ませてユニット化して、前記ベース本体に立設された前記仕切板に設けたことにより、電力用機器と通信用機器との相互間で接触や絶縁破壊をすることを防ぎ、設置時での電力用と通信用との作業者が別であることと、また保守時での取扱い者の住人が片側を触る必要がなく感電の危険も減少でき安全性を大幅に高め、点検保守も簡便に行うことができ、しかも各機器類の現地は配線工事が必要なく屋外での作業時間の短縮化が図れ、誤配線の防止、機器類の配置ずれやケーブルの乱雑化の防止に寄与できて作業性の向上を高められる。
【００１６】
さらにまた、本発明の防雷システムで用いられる接地用収納箱は、前記カバー体が、ベース本体の下側に開閉できるようにヒンジ部によってベース本体に連結され、該ベース本体に立設された仕切板の上側に前記筐体の補強と収納機器類の防滴用の天板を備えたことや、前記カバー体がベース本体に前後方向に摺動自在に嵌合されて開閉できるようにスライダ部によってベース本体に連結されたこと、また、前記カバー体が、前後方向に幅を持たせベース本体の両側面または片側面に開閉できるようにヒンジ部によってベース本体に連結され、該ベース本体を分離する仕切板の片側を選択して開放できる構成としたことにより、各機器の取り扱いの安全性と作業の簡易化とが図られ、しかも点検補修時にカバーを取り外したのち十分な作業スペースが確保でき、電力機器類、通信機器類の明確な分離ができているので、誤配線や誤操作などの誤作業を起こす心配もなく取り扱いも簡単で、安全に行うことができ取り扱い時間の短縮化と簡易化を図ることが可能となる。
【発明の効果】
【００１７】
本発明は、家屋に引き込まれる電力線に低圧配電用避雷器および避雷器用過電流遮断器と、分岐用端子台を設けると共に、通信用保安器、通信用機器の接地線を統合した一点で接続するアース端子台を備えて、該避雷器を含む電力用機器類の接地と、避雷器に接続され家屋内に設置される通信機器類または電子機器類、家電機器類の接地と、家屋の接地とを統合して家屋敷地内に接地することで、各機器類の接地を統合してそれぞれの間で電位差の発生を抑えることができ等電位化し易く、住宅内は雷に対して安全に維持管理できるほか、積算電力量計器の下流に備えた家屋内の過電流遮断器との間に端末機器の電力系または通信系の雷防護機能と十分に離間して設置された低圧配電系雷防護素子を介して家屋内機器の接地線を統合して接続し接地した雷防護システムを構成したことにより、離間による配線のインダクタンス効果を積極的に使用して雷防護システムと家屋内雷防護素子との保護協調を形成し、家屋内に雷電流がほとんど流入しないようにすることによって、装置類の破壊や誤作動なくし、火災発生の恐れもなく安全性の高い住宅用雷防護とすることができる。
【００１８】
また、本発明では、積算電力量計器の下流に備えた家屋内の過電流遮断器との間に端末機器の電力系または通信系の雷防護機能と十分に離間して設置された低圧配電系雷防護素子を介して家屋内機器の接地線を統合して接続し接地した雷防護システムを構成したことにより、離間による配線のインダクタンス効果を積極的に使用して雷防護システムと家屋内雷防護素子との保護協調を形成し、家屋内に雷電流がほとんど流入しないようにすることによって、装置類の破壊や誤作動をなくし、火災発生の恐れもなく安全性の高い住宅用雷防護方法を提供でき、しかも家屋及び家屋内に備え付けられているあらゆる機器の接地線を統合結合した統合接地箱を用いることによって容易に雷防護が可能で、その設置も簡便に行うことができるし、点検補修の際に配線作業や点検作業での簡素化を図り、さらに、電力用機器、通信用機器の明確な分離ができているので、誤配線や誤操作などの誤作業を起こす心配もなく取り扱いも簡単で、安全に行うことができ取り扱い時間の短縮化と簡易化を図られる。
【００１９】
さらに本発明の住宅用雷防護方法では、前記低圧避雷器の低圧配電系雷防護素子を含む避雷器と分岐用端子台との間に、雷防護素子用電流遮断器として避雷器用過電流遮断器を備えた統合接地箱を用いることにより、低圧配電系雷防護素子と家屋へ行く低圧配電線との接続を可能にし、低圧配電系雷防護素子の保守や交換の際に、家屋内への電源供給を停止することなく家屋内装置類の電源からの切り離しをせずに作業ができ、配線点検、保守が容易に行え、しかも統合接地手段として設置場所に自由度があって、床面上或いは屋外の特設場所での設置も簡便に行うことができるほか、統合接地箱によって電力機器類と、情報通信機器類の明確な分離ができて誤配線や誤操作などの誤作業を起こす心配もなく取り扱いも簡単で、安全に行うことができるので、取り扱い時間の短縮化と簡易化が図られ、さらに安全性の高い防雷システムとして用いられる。
さらに本発明では、電力用機器類と情報通信用機器類との設定時に作業者が別であることを考慮して、電力用機器類と情報通信用機器類とを隔離して配備設置してあるため、作業や保守が必要になっても、誤作業が生じることがなく収納機器類の点検、保守が容易に行え、情報通信用機器類を取り扱う場合、作業員や住人は電力機器類を触る必要がなく感電の危険も少なく、作業の安全性を保ち、しかも施工作業や住宅の維持管理が容易であり、保守点検作業も簡便に行うことができる低コストで、点検時の作業も簡単にでき取り扱いの簡易化を図り作業性の向上に寄与することができる。
【００２０】
本発明の住宅用雷防護には、低圧配電系雷防護素子を含む避雷器と分岐用端子台との間に、雷防護素子用電流遮断器を備えたことにより、低圧配電系雷防護素子の能力を超える雷電流が流入して破壊されても、雷防護素子用電流遮断器で電流遮断して、短絡破壊により生ずる火災発生がなく安全性を確保することができ、低圧配電系雷防護素子の保守交換時に家屋内への電源を遮断することなく作業を行なうことができる。
【００２１】
この場合、前記電力用機器としては、電源用避雷器のほかに避雷器用過電流遮断器、分岐用端子台が付設され、必要に応じこれらと分岐用過電流遮断器、漏電用遮断器とが付設され、この電力線用接地と通信線用接地が共通化された場合の接地関係を望ましい配置で行えるアース端子台により接地箇所が選んで用いられる統合接地箱で、家屋敷地内に接地することがシステムとして好ましく、さらに本発明の住宅用雷防護方法では、前記電力用機器と通信用機器とを備えた統合接地箱に分岐用端子台とアース端子台を備え、該アース端子台に接続される接地極を家屋敷地土壌内に設置するのがよく、電力用機器と、通信用機器と、家電機器、給湯装置、動力装置の家屋内機器との接地線を接続するための接地線固定部とを収納する筐体からなる統合接地箱を用いて、前記電力用機器および通信用機器の接地線を統合した一点で接続することで等電位化し易くすることができ安全性を高められる。
【００２２】
また、本発明での住宅用雷防護方法において、前記低圧配電系雷防護素子の接地線接続部分と他の接地線を統合するための接地線接続のアース端子台を備えたことにより、他の接地線との接続が容易に行え電源コンセントに接地線を含む３端子のコンセントを用いても家外に設置されることの多い給湯機器やエアコンなどの室外機器をも別個に接地することなく家屋内の接地システムに共通に接続でき、家屋に接地線を通すための穴を開けたり外観を損ねる形で接地線を敷設する必要もなく、住宅への雷電流の侵入をも未然に防ぐことができる。
なお、前記積算電力量計器に接続される避雷器用過電流遮断器並びに電源用避雷器と、配電用の電力線を接続または分岐接続するための端子のある電力線成端器例えば分岐用端子台とを備えた電力用機器と、通信用保安器、ＣＡＴＶ用保安器、接地接続導体と、家電機器、給湯装置、動力装置の家屋内機器との接地線を接続するための接地線固定部即ち、アース端子台とを収納する筐体を用いて、前記電力用機器および通信用機器の接地線を統合した一点で接続することで、雷サージ侵入時に各種の接地が共通化されて等電位化するのがよい。また、前記接地線接続導体としては、銅または銅系合金、アルミニウム、鉄を素材として、最低２０ｋＡ以上のサージ電流を流すことができるものを用いることと、また前記電源用避雷器が、動作したときに報知しうる表示部を備えていることで、電力用機器と通信用機器との相互間で接触や絶縁破壊をすることを防ぎ、設置時での電力用と通信用との作業者が別であることと、また保守時での取扱い者の住人が片側を触る必要がなく感電の危険も減少でき安全性を大幅に高め、点検保守も簡便に行うことができる。
【００２３】
さらに、本発明は、住宅用雷防護システムにおいて、前記統合接地箱が、家屋と設置または分離して家屋敷地内に立設した支柱に固定配備され家屋敷地内に接地することにより、予想できない過大な雷電流が雷防護システムに侵入した際に、これを破壊し家屋を損傷して大地に流れることによる火災の発生や家屋の損傷即ち、雷電流のいろいろなルートを経て対地に流れていってそのルート上にあるものがこげたり黒変や損傷、火災が発生する危険性を未然に防ぎ、また、前記統合接地箱に設けた雷防護素子用電流遮断器に該過電流遮断器の作動時を表示する表示部を備えて外部に報知することで、雷侵入を防ぐことができなくなっていて、雷防護システムの機能が働かないことになっているのをブザーの鳴動やランプの点滅などの表示によって報知して、雷防護の維持管理を容易にする。
【００２４】
さらに、本発明の住宅用雷防護システムにおいては、前記統合接地箱が積算電力量計器に接続される避雷器用過電流遮断器並びに避雷器と、配電用の電力線を接続または分岐接続するための端子のある分岐用端子台とを備えた電力用機器と、通信用保安器、ＣＡＴＶ用保安器、接地接続導体と、家電機器、給湯装置、動力装置の家屋内機器との接地線を接続するための接地線固定部のアース端子台とを備えた通信用機器とを筐体内を区画仕切って分離する仕切板に隔離取付けた統合接地箱を用いて、前記電力用機器および通信用機器の接地線を統合した一点で接続することで、各種機器類の等電位化が容易で、雷被害から家庭内の情報通信装置や家電機器類を確実に保護でき、しかもシステム点検補修時に統合接地箱のカバーを取り外したのち十分な作業スペースが確保でき、電力用機器、通信用機器の明確な分離ができているので、誤配線や誤操作などの誤作業を起こす心配もなく取り扱いも簡単で、安全に行うことができる。
【００２５】
なお、前記電力用機器と、通信用機器と、配電線を接続する分岐用端子台並びに接地線を接続するためのアース端子台とを収納する筐体は、前記電力用機器と、通信用機器とを備えるベース本体と、電力用機器と、通信用機器とを覆いベース本体に取り外し自在或いは開閉自在に被せられるカバー体とから構成し、該ベース本体に筐体内を仕切って分離する仕切板を設け、該仕切板に電力用機器と、通信用機器とを離隔取付けて筐体内に収納すると共に、前記分岐用端子台に接続される避雷器用過電流遮断器に接続され、さらに通信線、ＣＡＴＶ線、光ファイバーなどの情報線を接続して、前記電力用機器および通信用機器の接地線を統合した一点で接続する接続端子台であるアース端子台を用いることにより、設置場所に自由度があって、コンパクトで体裁良好となり、床面上或いは屋外の特設場所での設置も簡便に行うことができ、しかも点検時の作業が簡単にでき取り扱いの簡易化に寄与することができる。
【００２６】
さらに本発明では、前記積算電力量計器に接続される避雷器用過電流遮断器、避雷器と、電力線を接続または分岐接続する分岐用接続端子台に配線を済ませてユニット化して、前記ベース本体に立設された前記仕切板に分離して設けたことにより、電力用機器と通信用機器との相互間で接触や絶縁破壊をすることを防ぎ、設置時での電力用と通信用との作業者が別であることと、また保守時での取扱い者の住人が片側を触る必要がなく感電の危険も減少でき安全性を大幅に高め、点検保守も簡便に行うことができ、しかも各機器類の現地は配線工事が必要なく屋外での作業時間の短縮化が図れ、誤配線の防止、機器類の配置ずれやケーブルの乱雑化の防止に役立つことができる。
【００２７】
さらにまた、本発明で用いられる接地を統合した前記統合接地箱は、前記カバー体が、ベース本体の下側に開閉できるようにヒンジ部によってベース本体に連結され、該ベース本体に立設された仕切板の上側に前記筐体の補強と収納機器類の防滴用の天板を備えたことや、前記カバー体がベース本体に前後方向に摺動自在に嵌合されて開閉できるようにスライダ部によってベース本体に連結されたこと、また、前記カバー体が、前後方向に幅を持たせベース本体の両側面または片側面に開閉できるようにヒンジ部によってベース本体に連結され、該ベース本体を分離する仕切板の片側を選択して開放できる構成としたことにより、各機器の取り扱いの安全性と作業の簡易化とが図られ、しかも点検補修時にカバーを取り外したのち十分な作業スペースが確保でき、電力機器類、通信機器類の明確な分離ができているので、誤配線や誤操作などの誤作業を起こす心配もなく取り扱いも簡単で、安全に行うことができ、特に通信作業者の感電事故を防ぐと共に、保守維持の確保とセキュリティの安全化確保を容易に行うことができる等の効果がある。
【発明を実施するための最良の形態】
【００２８】
以下、本発明の第１実施の形態を図１〜図４の図面を参照して説明する。
この実施の形態における共通接地について、建物Ｅの敷地内に一か所の接地を設け、配電線の電力線ａには避雷器用過電流遮断器５、低圧配電系雷防護素子（サージ防護デバイス）の避雷器７を取付け、電力線ａの避雷器７の接地と、電話線ｂの通信用保安器９並びにＣＡＴＶなどの情報線ｃのＣＡＴＶ用保安器１０の接地並びに建物Ｅの接地等を統合接地箱Ｆによって建物Ｅ内の電気機器例えば、電話機Ｇ、テレビＨ、パソコンＩの情報機器や給湯器、冷蔵庫、電子レンジなどの家電製品Ｊの各機器類の接地を統合して共通化しそれぞれの間で電位差の発生を抑えて等電位化する。
この場合、前記統合接地箱Ｆには、低圧配電系雷防護素子としての避雷器７を備え、該避雷器７に接続する避雷器用過電流遮断器５と、電力線ａを分岐接続する分岐用端子台１２とが内装され、電力線ａを貫通するための孔を設けたべース本体１と、風雨から低圧配電系雷防護素子などの内容物を守るためのカバー体２とからなる筐体３の統合接地箱Ｆに、通信系保安器９、ＣＡＴＶ用保安器１０と低圧配電系機器類を離隔する絶縁板の仕切板４を備え、分岐用端子台１２によって各保安器９，１０並びに各機器類と接続して、また各機器類の接地をアース端子台１５によって統合して敷地内に一か所に接地するようにしてある。即ち、前記積算電力量計器Ｃと家屋内の過電流遮断器（分電盤）との間に、電力用機器類の電源系雷防護素子の避雷器７と、家屋内に十分に離間、例えば、５〜１５ｍ以上好ましくは１０〜１５ｍ以上離間して設置される通信機器類または電子機器類の分岐用過電流遮断器７を介して家屋内の各機器の接地線とをアース端子台１５によって結合して接地する。
なお、前記筐体３に設置される前記保安器９、１０の設置に必要となる接続用端子や設置箇所は図１及び図２に示す配置が望ましい。例えば、配電線の電力線ａは積算電力量計器Ｃを経て、分岐用端子台１２を経て避雷器用過電流遮断器５、避雷器７を直列に接続し、接地接続導体８を介して固定されるアース端子台１５を有する接地端子函となる統合接地箱Ｆを備え、必要に応じ接地付き電源コンセント３０を設けて、前記保安器９、１０の接地を統合接地箱Ｆによって統合して共通化する。
【００２９】
また、前記接地端子函となる統合接地箱Ｆとしては、図３及び図４に示すようにベース本体１と、該ベース本体１に覆うことができ取り外し自在のカバー体２とから筐体３を構成し、前記ベース本体１に筐体３の内部を左右に仕切って分離する絶縁性仕切板４を中央位置に立設して設け、この仕切板４の一方の片面に配線を含み積算電力量計器Ｃ及び過電流遮断器５と、該過電流遮断器５の作動時を表示する表示部６、例えば雷防護システムの機能が働かないことになっているのをブザーの鳴動や、ランプの点滅などの表示によって報知する表示部６と、避雷器７とを備えた電力用機器Ａを取り付けると共に、仕切板４の他方の片面に配線を含み接地接続導体８、通信用保安器９、ＣＡＴＶ用保安器１０などの通信用機器Ｂを隔離して取付けると共に、配電用の電力線ａが接続または分岐接続するための電力線用端子を備えた分岐用端子台１２に接続される避雷器７に接続され、さらに前記電力用機器Ａおよび通信用機器Ｂの接地線を統合した一点で接続するアース端子台１５を収納配備できるようになっているし、光ケーブルの配線には光成端キャビネットを必要に応じ収納することもできる。
【００３０】
前記筐体３としては、前記電力用機器Ａと、通信用機器Ｂとを取り付けられるベース本体１と、該ベース本体１に上から或いは前方から被せられ、電力用機器Ａと、通信用機器Ｂとを覆うカバー体２とから筐体３を構成し、該ベース本体１とカバー体２とを着脱自在のバンド部材１６によって取り外し自在に固定保持し、さらに前記ベース本体１に筐体内を仕切り分離する絶縁板の仕切板４を設け、該仕切板４の両面に電力用機器Ａと、通信用機器Ｂとを離隔して取付けて筐体３内に収納できるようにしてあり、この絶縁板の仕切板４によって、高圧電力線の接触事故などによる低圧配電線に侵入する過電圧から、通信系機器類を保護するための絶縁電圧を確保するために絶縁板を用いて離隔電圧を確保するのがよい。特に、仕切板４を設けることによって、低圧配電系機器や通信系機器の保守者が低圧配電系の充電部に触れて感電する事故を防ぐと共に、これら配線を下部から導出することで雫や雨などの侵入を防ぐのに役立つ。
この筐体３には、電力線ａ、通信線ｂ及び情報線ｃが引き込め、ケーブル把持具１４で適宜配線保持し接続される各接続端子または分岐用端子によって電力用機器Ａと、通信用機器Ｂとの接地線をアース端子台１５に統合して一点で接続したことで、設置場所に自由度があって、コンパクトで体裁良好なキャビネットとして、屋外の特設場所での設置も簡便に行うことができ、しかも保守点検作業時には、前記バンド部材１６を外してカバー体２をベース本体１から取り外して、前後左右に充分な作業スペースかあって電力用機器Ａと、通信用機器Ｂとを離隔状態で操作することができる。（図３及び図４）
【００３１】
この場合、このカバー体２は、第１の実施例では、ベース本体１に取り外し自在に嵌合したが、第２の実施例のようにベース本体１の前面下側にヒンジ部１７によってカバー体２を開閉自在にヒンジ部２３で連結して、ハンドル２４を持ってカバー体２をベース本体１の前面下方側にヒンジ部２３を中心にして回動させて開放され、電力用機器Ａと、通信用機器Ｂとが露出されて各種の作業の取扱い操作をしやすくし、ベース本体１にカバー体２が接続して保持され、筐体３を高所に据え付けた場合のカバー体２の落下事故を未然に防ぐことや、カバー体２を開けたときに作業エリアの確保のほか、カバー体２の置場や着脱用スペースを配慮しないで用いられ、作業性、取り扱いの簡易化を図ることができる形態のものを選んで、家屋壁面、屋外設置および引き込み柱などのポール設置の設置場所に対応したものにするのがよい。（図５〜図７）
前記筐体３のべース本体１は、取付金具２６を介して支柱Ｋなどの設定位置にはバンド取付けで固定するか、家屋壁面などにはボルト取付け或いはネジ止めによって固定するのがよく、またカバー体２は、べース体１にフック鍵部材２７などの係止部材で掛けしめできるようにし、据え付けられる錠前２８によって内部機器類の安全性保持と、保守や点検以外は触れることができないようにし、第３者の事故をも未然に防ぐと共にセキュリティを高め信頼性ある設備とするようにするのがよい。
【００３２】
また、図８〜図１０の第３実施例のように、前記カバー体２は、ベース本体１に摺動自在に嵌挿させた形態で、例えば前記カバー体２がベース本体１に前後方向に摺動自在に嵌合されて開閉できるようにスライダ部２９によってベース本体１に連結されたことで、ベース本体１からカバー体２を前方向或いは一側方向にスライドさせて引き抜き取り外すように構成して、カバー体２を開いた筐体周囲に充分な作業スペースがあるように考慮することもできる。
この場合、前記カバー体２は、前例と同様にべース体１にフック鍵部材２７などの係止部材で掛けしめできるようにするのがよく、必要に応じて錠前２８を付設して防犯やいたずら防止の安全性を維持することが考慮される。
【００３３】
さらに、前記ベース本体１に立設された仕切板４の上側に前記筐体３の補強を兼ね収納機器類の防滴用の天板１８を備えたことや、前記カバー体２が、前後方向に幅を持たせベース本体１の両側面または片側面に開閉できるようにヒンジ部１７によってベース本体１に連結され、該ベース本体を分離する仕切板の片側を選択して開放できる構成としたことにより、各機器の取り扱いの安全性と作業の簡易化とが図られ、しかも点検補修時にカバーを取り外したのち十分な作業スペースが確保でき、電力機器、通信機器の明確な分離ができているので、誤配線や誤操作などの誤作業を起こす心配もなく取り扱いも簡単で、安全に行うことができ取り扱い時間の短縮化と簡易化が容易に図ることことができる。
さらにまた、壁面設置用として前記筐体３をできるだけ薄型とするため、扉側となるカバー体２に奥行き分の幅を持たせて、該カバー体２が片側面に開閉できるようにヒンジ部によってベース本体１に連結され、仕切片で区画した取付板に電力用機器Ａと、通信用機器Ｂとが分離配置され、各機器類の成端器およびアース端子台を配備する形態とするのも好適例である。
【００３４】
前記統合接地箱Ｆ内の前記接地線接続導体８は、銅または銅系合金、アルミニウム、鉄を素材として、最低２０ｋＡ以上のサージ電流を流すことができるものが用いられ、必要に応じ接地用収納キャビネット設置用のポール或いは置き台若しくは家屋壁面などを選んで設けることができる。さらにこの接地用収納キャビネットにおいては、前記避雷器用遮断器５が、動作したときに報知しうる表示部６例えば、ランプ、ブザー等で外部に知らせる機能を有していることで、電力用機器と通信用機器との相互間で接触や絶縁破壊をすることを防ぎ得るようにすることや保守の簡素化図ることができる。
【００３５】
さらに本発明では、避雷器用過電流遮断器５、避雷器７と、分岐用端子台１２とを配線を済ませてユニット化して  前記ベース本体１に立設された仕切板４に設けたことにより、各機器類の現地は配線工事が必要なく屋外での作業時間の短縮化が図れ、誤配線の防止、機器類の配置ずれやケーブルの乱雑化の防止に寄与できるようにするのもよい。
この場合、電力用機器Ａと通信用機器Ｂとの設置時並びに作業者も別であることと、また保守時での取扱い者の住人が電力側の片側を触る必要がないことを考慮して、電力用機器Ａと通信用機器Ｂとの相互間で接触や絶縁破壊をすることや、感電の危険を防ぐのに、前記仕切板４の表裏に分離して電力用機器Ａと通信用機器Ｂを配置するのがよい。
【００３６】
なお、前記電力用機器Ａとしては、避雷器用過電流遮断器５および避雷器７のほかに接地付きコンセント３０等が必要に応じ付設され、この電力線用接地と通信線用接地が共通化された場合の接地関係を望ましい配置で行えるよう必要となる接続用端子や接地箇所が選んで用いられ、分電盤Ｄに設置される接地バーおよび屋外土壌内に設置される接地極を備えた接地端子函を適宜設けるようにしてある。
特に、耐雷性（弱）の通信線使用のパソコンや電力線使用の通信機器（ＴＥＬ、ＦＡＸなど）のほか、耐雷性（中）の電力線を使用しない通信機器（ＴＥＬ、ＦＡＸなど）や通信線を使用しない家電機器（電子レンジ、その他の電子機器、冷蔵庫ほか）さらに給湯装置、エアコンなど、モータ若しくは屋外機器等の動力機器、家屋などの保護が確実に行われるように、進入する雷サージを建物の入口で未然に防御できるようにしてある。
【００３７】
また、前記統合接地箱Ｆは、箱内には各相から侵入する雷電流を対地に確実に流せ、作動時において各雷防護素子の動作バラツキなどによる線間電圧の抑制のために、単相３線式ＡＣ配線の３つの線を接地に接続するための雷防護素子と、各相間へ挿入するための３つの雷防護素子および前記雷防護素子の接地線接続部とを共通にし、接地へ接続する少なくとも４線を接続できる接地線接続端子台を備えるのがよく、この接地部へ接続する雷防護素子の電源のニュートラル線に接続された以外の素子のいずれかが短絡破壊を生じたときに、電源部と遮断できる過電流遮断器を有し、また、積算電力量計器から配線される電力系配線と、これらの雷防護素子並びに家屋内に配線するための配電線を接続するための中間端子台を備えるのが好ましい。
このように接地線接続に４線を接続できることと、配電線を接続する中間端子台のあることで、作業性の向上と、流入電流の耐量を確保できるし、電源遮断器により前記雷防護素子が短絡破壊したときに発生する交流大電流を遮断し安全性を確保でき、さらに通信系機器類は絶縁板または同等品により低圧配電回路部と絶縁離隔されて離隔電圧も有効に確保して安全性を大幅に向上させることができる。
【００３８】
図１１及び図１２の他の実施例では、前記統合接地箱Ｆが、建物Ｅと分離して家屋敷地内又は外に立設した支柱Ｋに固定配備され接地した例で、建物Ｅ内の分電盤Ｄ、電話機Ｇ、テレビＨ、屋外機器を含む電気製品Ｊ及び電源コンセント３０の電力系配線と接地線とを統合接地箱Ｆに統合してある。この場合前記統合接地箱Ｆ内では、電力線ａの積算電力量計器Ｃからの電力線ａは中継端子台の分岐用端子台１２を経て過電流遮断機５と分電盤Ｄに接続され、電源用避雷器７から接続端子台となるアース端子台１５に連絡され、通信線ｂ、同軸ケーブルｃ光ファイバｄに連なる通信用保安器９、ＣＡＴＶ用保安器１０、光成端キャビネット１１を備え、アース端子台１５に連絡されて前記電力用機器および通信用機器の接地線を統合した一点で接続することで敷地内に接地することが簡易に行うことができる。
【００３９】
なお、各実施例での統合接地箱Ｆでは、前記避雷器用過電流遮断器５、避雷器７、接地接続導体８、分岐用端子台１２およびアース端子台１５を収納可能部材として備えてあるが、前記通信用保安器９、ＣＡＴＶ用保安器１０、光端成キャビネット１１を収納してもよいし、前記表示部６、電源コンセント３０をも選んで付設することもできる。
【図面の簡単な説明】
【００４０】
【図１】本発明に係る第１実施例の系統説明図である。
【図２】図１の例の統合接地箱の使用状態を示す説明図である。
【図３】本発明に係る第１実施例の統合接地箱を示し、（ａ）はその横断面図、（      ｂ）は、その縦断面図である。
【図４】図３の例の統合接地箱の使用状態を示し、（ａ）は裏面側から見た一部切      欠背面図、（ｂ）はその縦断面図である。
【図５】本発明の第２実施例の例の統合接地箱を示し、（ａ）はその正面縦断面図      、（ｂ）は、その側面縦断面図である。
【図６】図５の例の統合接地箱の使用状態を示し、（ａ）はその横断面図、（ｂ）はその縦断面図である。
【図７】図５の例の統合接地箱のカバー体を開放した状態の斜視図である。
【図８】本発明の第３実施例の例の統合接地箱を示し、（ａ）はその横縦断面図、ｂ）は、その縦断面図である。
【図９】図８の例の統合接地箱の使用状態を示し、（ａ）は前面縦断面図、（ｂ）はその後面縦断面図である。
【図１０】図８の例の統合接地箱のカバー体を開放した分離状態の斜視図である。
【図１１】本発明の他の実施例の系統説明図で
【図１２】図１１の例の統合接地箱の系統説明図である。
【符号の説明】
【００４１】
ａ    電力線
ｂ    通信線
ｃ    情報線
Ａ    電力用機器
Ｂ    通信用機器
Ｃ    積算電力量計器
Ｄ    分電盤
Ｅ    建物
Ｆ    統合接地箱
Ｇ    電話機
Ｈ    テレビ
Ｉ    パソコン
Ｊ    家電製品
Ｋ    支柱
１    ベース本体
２    カバー体
３    筐体
４    仕切板
５    避雷器用過電流遮断器
６    表示部
７    避雷器
８    接地接続導体
９    通信用保安器
１０    ＣＡＴＶ用保安器
１１    光成端キャビネット
１２    分岐用端子台
１４    ケーブル把持具
１５    アース端子台
１６    バンド部材
１７    ヒンジ部
１８    天板
１９    ヒンジ部
２０    仕切片
２１    取付け板
２２    ハンドル
２３    ヒンジ部
２６    取付金具
２７    鍵部材
２８    錠前
２９    スライダ部材
３０    電源コンセント
【図１】
2005117767.tif 000003
【図２】
2005117767.tif 000004
【図３】
2005117767.tif 000005
【図４】
2005117767.tif 000006
【図５】
2005117767.tif 000007
【図６】
2005117767.tif 000008
【図７】
2005117767.tif 000009
【図８】
2005117767.tif 000010
【図９】
2005117767.tif 000011
【図１０】
2005117767.tif 000012
【図１１】
2005117767.tif 000013
【図１２】
2005117767.tif 000014